(57)【特許請求の範囲】
【請求項１】
複数の柱体を所定間隔に立設し、これらの柱体を梁部で連結し、さらに前記柱体と梁部の所定箇所に複数の副柱を取り付け、次いで前記副柱に複数の横桟を取り付け、
前記横桟のうち最下段の横桟に、固定板を介してサンドイッチパネルの下端と左右両側端を覆う溝型鋼よりなるカバーを取り付け、最下段の横桟以外の横桟の上端に、横桟の上端に固定する基板と前記基板の端部に直角に設けた係止部とからなるパネル固定具を取り付け、
最下段のサンドイッチパネルの下端を前記最下段の横桟に取り付けたカバーに嵌合し、前記最下段のサンドイッチパネルの表面板の上端を前記パネル固定具の係止部で係止して最下段のサンドイッチパネルを取り付け、中間のサンドイッチパネルの下端の凸部を前記最下段のパネルの上端の凹部に嵌合し、前記中間のサンドイッチパネルの表面板の上端を前記パネル固定具の係止部で係止して中間のサンドイッチパネルを取り付け、前記中間のサンドイッチパネルの上方に他の中間のサンドイッチパネルを前記と同様の方法で順次取り付けていき、その後、最上段のサンドイッチパネルの下端の凸部を前記他の中間のサンドイッチパネルの上端の凹部に嵌合し、前記最上段のサンドイッチパネルの表面板の上端をパネル固定具の係止部で係止して最上段のサンドイッチパネルを取り付けることを特徴とする外装用サンドイッチパネルの取付工法。
【発明の詳細な説明】
【技術分野】
【０００１】
本発明は、車庫等の建築物の外装用パネルの取付工法に関するもので、特にサンドイッチパネルの取付工法に関するものである。
【背景技術】
【０００２】
従来より、建物の構造物等へパネルを強固に取り付ける方法やパネルの取付構造が提案されていた。
例えば下記に示す特許文献１記載の発明は、二枚の金属板の間に芯材を充填して形成されるサンドイッチパネルを建物の構造材に取り付けるにあたり、筒体の一端にフランジ部を突設すると共に筒体の他端の内面にネジ部を設け、一方の金属板を貫通する取付孔をサンドイッチパネルに形成し、筒体を取付孔に装着すると共にフランジ部を取付孔の孔縁部に配置し、筒体に成形用治具を挿入すると共にフランジ部を取付孔の孔縁部に押さえつけながら成形用治具をネジ部に螺合することによって、フランジ部とネジ部との間において筒体を圧縮して膨出して係止部を形成し、フランジ部と係止部との間で取付孔の孔縁部の金属板を挟持して筒体をサンドイッチパネルに固定し、取付用ボルトを構造材に連結して筒体のネジ部に螺合することによってサンドイッチパネルを構造材に取り付けるものである。
【先行技術文献】
【特許文献】
【０００３】
【特許文献１】特開２００５−９０１３７号公報
【０００４】
前記特許文献１記載の発明は、フランジ部と係止部との間で取付孔の孔縁部の金属板を挟持することによって筒体をサンドイッチパネルに強固に取り付けることができ、この筒体に取付用ボルトを螺合してパネルを構造材に取り付けることによって構造材へサンドイッチパネルを強固に取り付けることができる。
しかしながら、前記発明はサンドイッチパネルの取付構造の構成が複雑であり、取付工法も複雑で取り付け作業に際し時間と労力が多く掛かるという問題点があった。
【発明の概要】
【発明が解決しようとする課題】
【０００５】
本発明は、上記の点に鑑みなされたものであり、簡単な構成かつ簡易な工法で、容易、確実にサンドイッチパネルを取り付けることのできる外装用サンドイッチパネルの取付工法を提供するものである。
【課題を解決するための手段】
【０００６】
請求項１に記載の発明は、複数の柱体を所定間隔に立設し、これらの柱体を梁部で連結し、さらに前記柱体と梁部の所定箇所に複数の副柱を取り付け、次いで前記副柱に複数の横桟を取り付け、前記横桟のうち最下段の横桟に、固定板を介してサンドイッチパネルの下端と左右両側端を覆う溝型鋼よりなるカバーを取り付け、最下段の横桟以外の横桟の上端に、横桟の上端に固定する基板と前記基板の端部に直角に設けた係止部とからなるパネル固定具を取り付け、最下段のサンドイッチパネルの下端を前記最下段の横桟に取り付けたカバーに嵌合し、前記最下段のサンドイッチパネルの表面板の上端を前記パネル固定具の係止部で係止して最下段のサンドイッチパネルを取り付け、中間のサンドイッチパネルの下端の凸部を前記最下段のパネルの上端の凹部に嵌合し、前記中間のサンドイッチパネルの表面板の上端を前記パネル固定具の係止部で係止して中間のサンドイッチパネルを取り付け、前記中間のサンドイッチパネルの上方に他の中間のサンドイッチパネルを前記と同様の方法で順次取り付けていき、その後、最上段のサンドイッチパネルの下端の凸部を前記他の中間のサンドイッチパネルの上端の凹部に嵌合し、前記最上段のサンドイッチパネルの表面板の上端をパネル固定具の係止部で係止して最上段のサンドイッチパネルを取り付けることを特徴とする外装用サンドイッチパネルの取付工法。
【発明の効果】
【０００８】
請求項１記載の外装用サンドイッチパネルの取付工法によれば、サンドイッチパネルの取り付け作業において、柱体を連結する梁部へ副柱を取り付け、この副柱へ横桟を取り付け、さらに横桟に個々のサンドイッチパネルを順次取り付けるものであるから、作業工程が単純化されサンドイッチパネルの位置決め作業及びサンドイッチパネルの取り付け作業が容易かつ迅速、確実に行なえる。
さらに作業時間の短縮が図れ、かつ簡易な工法のため熟練作業者でなくても確実にサンドイッチパネルを取り付けることができ、パネル固定具によってサンドイッチパネルの上端を係止するという簡易な方法でパネルを安定して取り付けられるから、作業者が迅速確実にサンドイッチパネルの位置決め作業あるいはサンドイッチパネル取り付け作業を行なうことができる等の効果を奏する。
【図面の簡単な説明】
【００１０】
【図１】本発明の一実施形態である車庫の概略斜視図
【図２】車庫の柱体と梁部に副柱を取り付けた状態の概略斜視図
【図３】図２のＡ１拡大図（Ａ）及びＡ１拡大分解図（Ｂ）
【図４】図２のＡ２拡大図（Ａ）及びＡ２拡大分解図（Ｂ）
【図５】図２のＢ１拡大図（Ａ）及びＢ１拡大分解図（Ｂ）
【図６】図２のＢ２拡大図（Ａ）及びＢ２拡大分解図（Ｂ）
【図７】図２のＢ３拡大図
【図８】図２の車庫の構造に横桟を取り付けた状態の概略斜視図
【図９】図８のＣ１拡大図（Ａ）及びＣ１拡大分解図（Ｂ）
【図１０】パネルを一部切り欠いた車庫の概略斜視図
【図１１】図１０のＤ１拡大図（Ａ）、Ｄ２拡大分解図（Ｂ）及びＤ３拡大図（Ｃ）
【図１２】パネル固定具の拡大斜視図
【図１３】最下段のパネルの取り付け状態を示す一部切欠拡大側面図
【図１４】中間のパネルの取り付け状態を示す一部切欠拡大側面図
【図１５】最上段のパネルの取り付け状態を示す一部拡大切欠側面図
【図１６】パネルの取り付け状態を示す一部拡大切欠平面図
【図１７】サンドイッチパネルと他例のパネルの一部切欠側面図
【発明を実施するための形態】
【００１１】
本発明の一実施形態を図面に基づいて説明する。
本実施形態では、車庫の外装用パネルの取付工法について説明するが、本発明は車庫に限定されず他の構造物の外装用パネルの取付工法に適応できるものである。
【００１２】
図１に示すように、車庫は、躯体１と背面パネル２、右側面パネル３と左側面パネル４からなり、前面の車の乗込側（図１の矢印方向）にはパネルは設けていない。
これらの各パネル２、３、４は、複数のサンドイッチパネル５１からなり、柱体１１、１２、梁部１３〜１６、副柱２１、２２、横桟４１等から構成される躯体１にパネル固定具６１、カバー６５等によって取り付けられている。
サンドイッチパネル（以下、パネルと略称する）５１は発泡スチロールなどの心材５１ｃを２枚の鉄板等の表面材５１ａで挟んで構成されていて、大きさは幅約１８０ｃｍ、高さ約９０ｃｍのものと幅約１６０ｃｍ、高さ約９０ｃｍのものを主として使用している。
前記車庫は、乗用車を４列で２段収容可能であり、幅約１０ｍ、奥行き約６ｍ、高さ約６ｍである。前記パネルおよび車庫の大きさはこれに限定されない。
【００１３】
図２に示すように、車庫は、前面（車の乗込側）に５本の柱体１１を背面に５本の柱体１２を等間隔に立設し、前面の各柱体１１の上端を梁部１３で連結し、背面の各柱体１２の上端を梁部１４で連結すると共に中間部を梁部１５で連結している。これら柱体と梁部はＨ形鋼で構成されている。
【００１４】
さらに前面の梁部１３と背面の梁部１４のそれぞれの上端を５本の梁部１６で連結すると共に、右側面の梁部１６の下方には、前面の柱体１１と背面の柱体１２の間に横支持部材２３を設け、同様に左側面の梁部１６の下方にも横支持部材２３を設けることで躯体１の基部を構成している。
【００１５】
図３に示すように、前記右側面の梁部１６には、副柱２１が取付金具３１によって垂直に取り付けてある。
前記副柱２１は長尺の角パイプである。取付金具３１はアングル（山形鋼）であり、締結手段であるＵボルト３２とナット３４によって梁部１６に取り付けられている。そして、前記取付金具３１の先端に穿設した孔３１ａと副柱２１の孔２１ａにボルト３３を螺合することによって、副柱２１を梁部１６に一定の距離を有して取り付けている。
【００１６】
図４に示すように、前記右側面の梁部１６の下方には、横支持部材２３が取付金具３６によって副柱２１に取り付けてある。
前記取付金具３６はアングルであり、締結手段であるＵボルト３２とナット３４によって副柱２１に水平に取り付けられている。そして、前記取付金具３６の先端に穿設した孔３６ａと副柱２１の孔２１ａにボルト３３を螺合することによって、副柱２１を横支持部材２３に密着して取り付けている。なお、副柱２１の下端は、後述のように地中に埋設したアンカー３９１によって支持されている（図７参照）。
横支持部材２３は長尺の角パイプであるが、強度に応じてＣ型パイプ等を使用することができる。また、ボルト３３も２個に限らず１個でもよい。
【００１７】
このようにして、４本の副柱２１を右側面の梁部１６と横支持部材２３に取り付ける。なお左側面における副柱２１の取り付けは右側面と同様であるため説明を省略する。
【００１８】
図５及び図６に示すように、背面の副柱２２は、梁部１６と背面の柱体１２と梁部１５に取り付けられ、その下端はアンカー３９１によって地中に支持されている。  
図５に示すように、副柱２２の上方は、アングルの取付金具３７によって、梁部１６の先端にボルト３３とナット３４によって取り付けられている。すなわち、取付金具３７の端部の孔３７ａと梁部１６の孔１６ａをボルト３３で螺合しナット３４で締結して取付金具３７を梁部１６の先端に固定する。次いで取付金具３７の他方の孔３７ｂと副柱２２の孔２２ａにボルト３３を螺合することによって、副柱２２を梁部１６に取り付けるのである。
【００１９】
図６に示すように、前記副柱２２の中央部分は、梁部１５を挟んで上部の取付金具３８と下部の取付金具３８によって２箇所固定してある。
前記取付金具３８は、柱体１２に取り付けるアングルの第１取付部３８１と、この第１取付部３８１の上面に、第１取付部３８１と直交して固定したアングルの第２取付部３８２とからなる。
副柱２２を柱体１２に取り付ける際は、まず取付金具３８の第１取付部３８１をＵボルト３２とナット３４によって柱体１２に取り付け、次に第２取付部３８２の孔３８２ａと副柱２２の孔２２ａにボルト３３を螺合して副柱２２を柱体１２に取り付ける。
【００２０】
図７に副柱２２の地中への固定方法を示す。
副柱２２の下端は、アングルの取付金具３９と、この取付金具３９に垂設したアンカー３９１によって構成し、アンカー３９１を地下に埋設することで副柱２２を固定する。副柱２１も同様に固定する。
【００２１】
図８は車庫の構造の概略斜視図であり、図２の車庫の構造に横桟を取り付けた状態で車庫の躯体１を示している。
図９に横桟４１の取り付け状態を示す。横桟４１はアングルの取付金具４２によって水平に取り付けるが、固定側取付部４２１を副柱２１にボルト３３で固定し、次いで支持側取付部４２２の孔４２２ａと横桟４１の孔４１ａをボルト３３で固定する。この横桟４１にパネル５１を取り付けるのである。前記横桟４１は長尺の角パイプであるが、Ｃ型パイプも使用できる。なお、図９は副柱２１の最上部の横桟４１の取り付け状態を示しているが、下部に取り付けた他の横桟４１，４１・・も同様の構成である。
【００２２】
図１０乃至図１６に基づいてパネルの取付方法について説明する。
（１）図１１（Ａ）と図１３に基づいて最下段のパネルの取り付け方法を説明する。
副柱２２の下端に取り付けた最下段の横桟４１の下部に、横桟４１より幅が広く横桟４１と同じ長さの固定板６７を、横桟４１の外側に張り出してボルト３３で固定する。この固定板６７の張り出した部分にカバー６５をビス７１で固定する。このカバー６５の内部に最下段のパネル５１（５１１）の下端を上方から差し込んで嵌合固定する。
このときパネル５１１の下端には、表面板５１ａ，５１ａとの間に凹部５１ｂを構成してあり前記ビス７１との干渉を避けている。
前記カバー６５は長尺の溝形鋼よりなり、パネル５１１の下端と左右両側端及び上端のすべてを覆うものである。
【００２３】
（２）図１２および図１４に基づいて中間のパネルの取付方法を説明する。
中間のパネル５１（５１２）の取り付けに際してはパネル固定具６１を使用する。このパネル固定具６１は、図１２に示すように方形の基板６１１の一端を直角に下方に曲折して係止部６１２を構成し、基板６１１の中央にはボルト３３を螺合するための孔６１ａを穿設してある。
基板６１１は、幅Ｈは約１０ｃｍ、奥行きＤは約５ｃｍ、係止部６１２の高さは、約１．５ｃｍである。
パネル５１２を取り付ける際には、前記パネル固定具６１をボルト３３で横桟４１の上端に固定して、その係止部６１２を最下段のパネル５１１の表面板５１ａの上端に係止する。
このとき、前記表面板５１ａ，５１ａの上端には心材５１ｃが構成されておらず、この表面板５１ａ，５１ａとの間隙が凹部５１ｂを構成している。そのため、前記パネル固定具６１の係止部６１２は前記凹部５１ｂによって表面板５１ａの上端に確実に係止されるのである。このようにパネル５１はビス等を用いずに横桟４１に取り付けることができるので、作業効率が良くなる。
その後、最下段のパネル５１１の上から中間のパネル５１２を重ねて下端の凸部５１ｃをパネル５１１の凹部５１ｂに嵌合せしめる。このとき、係止部６１２は中間のパネル５１２の凸部５１ｃとパネル５１１の表面板５１ａの間に挟まれて固定する。
以後、この作業を繰り返して他の中間のパネルを順次上方に取り付けていき、最後に最上段のパネルを取り付ける。
【００２４】
（３）図１１（Ｂ）（Ｃ）と図１５に基づいて最上段のパネルの取り付け方法を説明する。
最上段のパネル５１（５１３）の下端５１ｃを、前記中間のパネル５１(５１２)の上端の凹部５１ｂに嵌合せしめ、上端をパネル固定具６１で固定する。このとき、前記と同様にパネル固定具６１の係止部６１２をパネル５１３の表面板５１ａの上端に係止して取り付ける。
その後、パネル５１３の上端部を覆うようにカバー６５を嵌め込んでいくが、パネル固定具６１と重なる部分はカバー６５に切欠部６５ａを構成し、パネル固定具６１との干渉を避けている。
この切欠き部６５ａは、パネル固定部６１の係止部６１２の下端を挿入できる大きさの長方形の孔である。
【００２５】
またパネル５１の横方向の取り付け方法は、図１６に示すように、側端部のパネル５１の縁部にカバー６５を取り付け、他端の凹部５１ｂに他のパネル５１の凸部５１ａを嵌合させて固定する。
これにより、カバー６５はパネル５１の四周、すなわち下端と両側端及び上端のすべてを覆うことができるから、パネルの強度も強くなり、耐久性もよくなり、車庫全体の美観にも優れるのである。
【００２６】
図１７（Ａ）は、本実施形態で使用するパネル５１の一部切欠拡大図である。
このパネル５１は前述の通りサンドイッチパネルであり、中間のパネル５１２と最上段のパネル５１３は、上端に凹部５１ｂを構成し下端に凸部５１ｃを構成してある。最下段のパネル５１１は、上述の通り上端と下端に凹部５１ｂを構成してある。
本発明で使用するパネルは、上記のサンドイッチパネルに限らず、例えば、図１７（Ｂ）に示す他例のように、パネル５５を同一部材で一体に構成し、その上端に係止部５５ａと凹部５５ｂを構成すれば良い。この係止部５５ａにパネル固定具６１の係止部６１２を係止するのである。
【００２７】
なお、上記の説明においてボルトとナットには同一の番号を付したが、ボルトとナットの大きさと個数は、強度等に応じて任意に決定できる。同様にＵボルトの大きさも任意に決定できるものとする。
【００２８】
以上のように、本実施形態によれば簡易な構成かつ容易な操作でありながら、パネルの位置決めを的確に行い、パネルをカバーやパネル固定具によって容易確実に取り付けることができるため、容易、確実にパネルの取付作業ができると共に作業時間の大幅な短縮が図れるのである。
【符号の説明】
【００２９】
１ 車庫の躯体            ２ 背面パネル
３ 右側面パネル          ４ 左側面パネル
１１ 柱体                １２ 柱体
１３ 梁部                １４ 梁部
１５ 梁部                １６  梁部
２１ 副柱                ２２ 副柱  
２３  横支持部材         ３１ 取付金具
３２ Ｕボルト            ３３ ボルト
３４  ナット             ３６ 取付金具  
３７  取付金具           ３８  取付金具
４１  横桟               ４２  取付金具
５１ パネル（サンドイッチパネル）  
６１ パネル固定具        ６５  カバー
【要約】
【課題】  簡単な構成かつ簡易な工法で容易、確実にパネルを取り付けることのできる外装用パネルの取付工法及びそれに用いるパネル固定具を提供する。
【解決手段】  柱体を所定間隔に立設し、これらの柱体を梁部で連結し、さらに前記柱体と梁部の所定箇所に複数の副柱と横桟を取り付け、前記横桟のうち最下段の横桟にカバーを取り付けると共に、最下段の横桟以外の横桟にパネル固定具を取り付け、最下段のパネルの下端を前記最下段の横桟に取り付けたカバーに嵌合して、その上端を前記パネル固定具で係止することで最下段のパネルを取り付け、中間のパネルの下端を前記最下段のパネルの上端に取り付けて、その上端を前記パネル固定具で係止することで中間のパネルを取り付け、他の中間のパネルの下端を前記中間のパネルの上端に取り付けて、その上端を前記パネル固定具で係止することで他の中間のパネルを取り付けることを特徴とする。
【選択図】図１０【図１】
0005419311.tif 000002
【図２】
0005419311.tif 000003
【図３】
0005419311.tif 000004
【図４】
0005419311.tif 000005
【図５】
0005419311.tif 000006
【図６】
0005419311.tif 000007
【図７】
0005419311.tif 000008
【図８】
0005419311.tif 000009
【図９】
0005419311.tif 000010
【図１０】
0005419311.tif 000011
【図１１】
0005419311.tif 000012
【図１２】
0005419311.tif 000013
【図１３】
0005419311.tif 000014
【図１４】
0005419311.tif 000015
【図１５】
0005419311.tif 000016
【図１６】
0005419311.tif 000017
【図１７】
0005419311.tif 000018